(57)【要約】【課題】  電子機器装置に搭載した二次電池２０への充電時、電池２０からデバイス８０へ電源供給していると、電池２０の電圧が変動するため、充電状態が正確に検出できず、充電制御装置２１から電池２０へ適正な充電電流の供給が出来なかった。【解決手段】  デバイスコントローラ２７は、デバイス８０を表示制御する表示データをメモリ部１４から入力し、電池２０からデバイス８０に供給する電流が零もしくは微小電流となるタイミングを導出し、該タイミングを充電制御部２１へ伝達する。充電制御部２１は、そのタイミングで電池２０の電圧を検出する。【選択図】          図４
2006060500.tif 000002
【特許請求の範囲】
【請求項１】
制御データを記憶する記憶装置、この記憶装置に記憶した上記制御データを入力し、該制御データに基づいて電子装置を動作させるコントローラ、上記電子機器を含む各部へ電源供給する二次電池、この二次電池の充電状態を検出し、該充電状態に基づいて上記二次電池を充電制御する充電制御部を備え、
充電時、上記コントローラは、上記制御データに基づいて上記二次電池の充電状態を検出するタイミングを導出して上記充電制御部へ伝達し、
上記充電制御部は、伝達された上記タイミングにより上記二次電池の充電状態を検出することを特徴とする電子機器装置。
【請求項２】
制御データを記憶する記憶装置、この記憶装置に記憶した上記制御データを入力し、該制御データに基づいて電子装置を動作させるコントローラ、上記電子機器を含む各部へ電源供給する二次電池、この二次電池の充電状態を検出し、該充電状態に基づいて上記二次電池を充電制御する充電制御部を備え、
充電時、上記コントローラは、上記二次電池から電子装置へ電源供給する電流が所定期間零、もしくは微小電流となるデータを上記制御データの所定タイミング位置に付与すると共に該タイミングを上記充電制御部へ伝達し、
上記充電制御部は、伝達された上記タイミングにより上記二次電池の充電状態を検出することを特徴とする電子機器装置。
【請求項３】
コントローラは、二次電池から電子装置へ電源供給する電流が所定期間零、もしくは微小電流であるタイミングを制御データから導出し、該タイミングを充電制御部へ伝達することを特徴とする請求項１記載の電子機器装置。
【請求項４】
充電制御部は、所定期間初期の一定時間経過後に二次電池の充電状態を検出することを特徴とする請求項３記載の電子機器装置。
【請求項５】
充電制御部は、所定期間初期の一定時間経過後に二次電池の充電状態を検出することを特徴とする請求項２記載の電子機器装置。
【請求項６】
電子装置は表示装置であり、記憶装置は該表示装置を表示制御する制御データを記憶することを特徴とする請求項１又は２記載の電子機器装置。
【請求項７】
電子装置は表示装置であり、制御データの所定タイミング位置は上記表示装置の表示輝度が低い制御データ部分であることを特徴とする請求項２記載の電子機器装置。
【発明の詳細な説明】
【技術分野】
【０００１】
本発明は、二次電池を電源として使用する携帯電話機等の電子機器装置に関し、特に二次電池を充電している状態における充電制御に関するものである。
【背景技術】
【０００２】
近年、電子機器のデジタル化の進展によって、携帯電話機等、携帯される電子機器装置が急速に発展している。携帯電子機器装置は、携帯されるがゆえに電源としてリチュウムイオン電池等の二次電池を搭載して使用されるが、二次電池は充電する必要がある。したがって、携帯電子機器装置は、使用していない状態のときに充電ホルダー上に載置されて充電されるのが一般的である。
【０００３】
従来、電子機器装置を充電制御する一例として特許文献１に記載されたものがある。特許文献１に記載された充電装置は、二次電池の過充電や充電不足が生じないように適切な充電電流制御を行うことを目的としたものであり、電源部から二次電池へ充電電流を供給しないときに二次電池の電圧を検出するようにしたものである。したがって、電源の状態に影響されることなく二次電池の電圧を正しく検出でき、過不足のない適切な充電電流の制御が行えるものである。
【０００４】
【特許文献１】特開平７−２３１５７４号公報
【発明の開示】
【発明が解決しようとする課題】
【０００５】
特許文献１に記載された従来の充電装置は、二次電池が放電中でない状態で充電することを前提としているものであり、二次電池が電源として電子装置に電源供給しながら充電される場合には正確に二次電池の電圧を検出できないという問題点があった。
【０００６】
本発明は、二次電池が電子機器へ電源供給して動作させている状態で充電している場合にも、正確に二次電池の電圧、つまり、充電状態を検出することができるようにすることを目的としている。
【課題を解決するための手段】
【０００７】
本発明における電子機器装置は、制御データを記憶する記憶装置、この記憶装置に記憶した上記制御データを入力し、該制御データに基づいて電子装置を動作させるコントローラ、上記電子機器を含む各部へ電源供給する二次電池、この二次電池の充電状態を検出し、該充電状態に基づいて上記二次電池を充電制御する充電制御部を備え、充電時、上記コントローラは、上記制御データに基づいて上記二次電池の充電状態を検出するタイミングを導出して上記充電制御部へ伝達し、上記充電制御部は、伝達された上記タイミングにより上記二次電池の充電状態を検出するように構成したものである。
【０００８】
また、本発明における電子機器装置は、制御データを記憶する記憶装置、この記憶装置に記憶した上記制御データを入力し、該制御データに基づいて電子装置を動作させるコントローラ、上記電子機器を含む各部へ電源供給する二次電池、この二次電池の充電状態を検出し、該充電状態に基づいて上記二次電池を充電制御する充電制御部を備え、充電時、上記コントローラは、上記二次電池から電子装置へ電源供給する電流が所定時間零、もしくは微小電流となるデータを上記制御データの所定タイミング位置に付与すると共に該タイミングを上記充電制御部へ伝達し、上記充電制御部は、伝達された上記タイミングにより上記二次電池の充電状態を検出するように構成したものである。
【発明の効果】
【０００９】
本発明によれば、二次電池の充電状態を検出するタイミングを、電子装置を動作させる制御データに基づいて導出し、このタイミングにより二次電池の充電状態を検出するようにしたので、正確に充電状態を検出することができる効果がある。
【００１０】
また、本発明によれば、二次電池から電子装置へ電源供給する電流が所定時間零、もしくは微小電流となるデータを上記制御データの所定タイミング位置に付与し、このタイミングにより二次電池の充電状態を検出するようにしたので、正確に充電状態を検出することができる効果がある。
【発明を実施するための最良の形態】
【００１１】
図１は、電子機器装置としての二つ折れ型の携帯電話機に本発明を適用した実施の形態１を示す斜視図であり、図１（ａ）は二つ折れ型携帯電話機を開いた状態で正面側から見た斜視図、図１（ｂ）は背面側から見た斜視図である。
【００１２】
図において、１は複数の操作キー２を配列した操作部を有した操作側筐体であり、一端側がヒンジ３により表示側筐体４の一端と連結されている。操作側筐体１の他端側にはユーザが通話に使用するマイク５が設けられている。一方、表示側筐体４の正面側には図１（ａ）に示されるように文字や画像を表示する主表示部６が設けられている。この主表示部６は液晶表示装置（ＬＣＤ）である。表示側筐体４の他端側には通話相手の音声を出力するレシーバ７が設けられている。また、図１（ｂ）に示すように表示側筐体４の背面側には複数の発光ダイオード（ＬＥＤ）８がマトリクス配列されたＬＥＤ表示パネル９が設けられている。このＬＥＤ表示パネル９は、表示側筐体４背面に形成した表示窓に装着されており、発光ダイオード８をｎ行×ｍ列、図の例では９行１７列の１５３個配列している。発光ダイオード８は、３．２ｍｍピッチで実装されており、ＬＥＤ表示パネル９の表示部分の大きさは約２．４インチ（５３．９ｍｍ×２８．３ｍｍ）である。したがって、ＬＥＤ表示パネル９は、表示側筐体４背面の略全域を占めており、比較的大きな画面に高輝度の表示をすることができる。
【００１３】
次に、本発明の実施の形態１に係る２つ折れ型携帯電話機の回路構成について説明する。
【００１４】
図２は、実施の形態１に係る２つ折れ型携帯電話機のブロック構成図である。図において、１１は無線通信するためのアンテナで、通話相手から受信した電波を受信して、無線部１２へ入力する。無線部１２では入力した信号を増幅及び周波数変換してベースバンドＩＣ１３へ入力する。主制御装置としてのベースバンドＩＣ１３は、携帯電話機全体の制御を司るものであり、メモリ部１４に記憶されているプログラムにしたがって動作する。メモリ部１４はベースバンドＩＣ１３を動作させるプログラムの他に各種のデータ及びベースバンドＩＣ１３が処理するデータを記憶している。
【００１５】
ベースバンドＩＣ１３は通話着信があった場合、音響部１５を介してスピーカ１６を鳴動し、着信をユーザに報知すると共に、ユーザが着信応答した場合、通話相手の端末と回線を接続して、マイク５及びレシーバ７を使って通話を可能にする。ユーザの音声はマイク５を通して携帯電話機に取り込まれ、音響部１５、ベースバンドＩＣ１３、無線部１２、アンテナ１１を介して送信される。
【００１６】
１７は操作キー２等からなる操作部である。１８はＲＴＣ（ｒｅａｌ  ｔｉｍｅ  ｃｌｏｃｋ）であり、正確な時間情報を出力する。電源制御部１９はリチウムイオン電池等の二次電池としての電池２０の発生する電力を各部に供給する。充電制御部２１は充電時、図示しない電源から入力する電力を電池２０へ給電し、電池２０を充電すると共に、該電池２０の充電状態を検出し、該充電状態に応じて電池２０への充電電流を制御するものである。なお、電池２０は操作側筐体１に収納されている。２２は近距離データ通信を行うための赤外線通信手段、２３は携帯電話機に内蔵したカメラである。
【００１７】
９はＬＥＤ表示パネルであって、制御マイコン２４、Ｘ方向制御ドライバ２５、Ｙ方向制御ドライバ２６、及び９行１７列にマトリクス配置された発光ダイオード８からなる。制御マイコン２４、Ｘ方向制御ドライバ２５、Ｙ方向制御ドライバ２６は発光ダイオード８を表示制御するデバイスコントローラ２７として機能する。また、制御マイコン２４はメモリ部１４に記憶されている表示データをベースバンドＩＣ１３を介して入力し、Ｘ方向制御ドライバ２５、Ｙ方向制御ドライバ２６を介して発光ダイオード８を表示制御すると共に、表示データに基づいて充電制御部２１へ充電状態を検出するタイミングを伝達する。
【００１８】
本発明による携帯機器は、携帯機器筐体の表面に発光ダイオード８をマトリクス配置したもので、低消費電力で高輝度の表示が得られる。この実施の形態１におけるＬＥＤ表示パネル９は、時計表示や、図形、模様などのパターンを表示することができるものであり、定常時はもとより、充電時においても表示可能になっている。
図３はこの実施の形態１に係る携帯電話機を充電ホルダー上に搭載して充電している状態を示す。携帯電話機は、折り畳まれた状態で充電ホルダー２８上に搭載され、ＬＥＤ表示パネル９には時間表示をしている。２９は充電ホルダーを電源に接続するための接続コードである。図３ではＬＥＤ表示パネル９に時間表示をさせているが、メモリ部１４に予め記憶させている図形、模様などのパターンを動画表示させたり、点滅表示させる表示を行うことができる。
【００１９】
図４は充電時における携帯電話機の動作を説明するためのブロック図であり、図２と同一部分は同一符号を付している。即ち、充電制御部２１は、電源３０に接続され、電池２０を充電する。また、充電制御部２１はデバイスコントローラ２７から伝達される所定のタイミングで電池２０の電圧を検出し、充電状態を検出する。さらに、充電制御装置２１はその検出された充電状態に応じた充電電流を電池２０へ供給する。
デバイス８０は図２におけるマトリクス配列された複数の発光ダイオード８であり、充電状態の電池２０から電源供給を受け、制御マイコン２４、Ｘ方向制御ドライバ２５、Ｙ方向制御ドライバ２６からなるデバイスコントローラ２７により表示制御される。デバイスコントローラ２７はメモリ部１４に記憶された表示データをベースバンドＩＣ１３（図２参照）を介して入力し、表示データに基づいてデバイス８０を表示制御すると共に、表示データに基づいて導出した電池２０の充電状態を検出するタイミングを充電制御部２１へ伝達する。
【００２０】
図５はデバイスコントローラ２７が電池２０の充電状態を検出するタイミングを導出する方式を説明するための図である。図において、横軸は時間であり、表示データはタイミングＴ１でＯＮからＯＦＦに切り換わり、タイミングＴ２でＯＦＦからＯＮに切り換わり、タイミングＴ３でＯＮからＯＦＦに切り換わり、タイミングＴ４でＯＦＦからＯＮに切り換わり、タイミングＴ５でＯＮからＯＦＦに切り換わり、タイミング６２でＯＦＦからＯＮに切り換わるパターンになっている。
【００２１】
デバイスコントローラ２７は表示データをメモリ部１４から入力し、表示データがＯＦＦの期間Ｔ１−Ｔ２、Ｔ３−Ｔ４、Ｔ５−Ｔ６を検索する。電池２０は充電中に負荷（デバイス８０）に給電している状態では出力電圧が不安定であり、充電状態を正確に測定できない。また、給電を断った直後においても電池２０電圧が不安定な期間αがある。したがって、デバイスコントローラ２７は、表示データのＯＦＦの期間が電池２０電圧の不安定な期間α以上か、否かを検索し、Ｔ１−Ｔ２のようにα以上であれば、期間α経過後のｔ１、ｔ２のタイミングで電池２０電圧を検出する指示を充電制御部２１に対して伝達する。
【００２２】
一方、Ｔ３−Ｔ４のようにＯＦＦの期間がα以下の場合には充電制御部２１に対して電池２０電圧を検出する指示は出力しない。
【００２３】
さらに、Ｔ５−Ｔ６のようにＯＦＦの期間が長い場合は期間α経過後のｔ３、ｔ４、ｔ５の３つのタイミングで電池２０電圧を検出する指示を充電制御部２１に対して伝達する。ここで、充電制御部２１が複数のタイミングで電池２０電圧を検出しているのは検出した電圧値にばらつきがあるためであり、それらの平均値を得ることにより電池２０の充電状態を正確に測定することができる。
【００２４】
図５に示す表示データは電池電圧を検出し得るＯＦＦの期間があるが、データによってはＯＦＦの期間が短かったり、場合によってはＯＦＦの期間がなかったりする場合がある。この場合、デバイスコントローラ２７は強制的にＯＦＦの期間を表示データに付加する必要がある。具体的には電池から給電する電流が零、もしくは微小電流となる期間を表示データに付加するが、デバイス８０の表示輝度が高い状態では表示の乱れが大きく現れるため、表示輝度が低い状態のときに付加するようにする。
【００２５】
次に、図６のフローチャートに基づいてデバイスコントローラ２７の表示データ調整処理動作を説明する。
【００２６】
即ち、デバイスコントローラ２７はデバイス８０を表示制御するための表示データをメモリ部１４から読み出す（ＳＴ１）。次に、メモリ部１４から読み出された表示データ内に予め充電状態を確認する充電用時間データがあるか判断する（ＳＴ２）。ステップ（ＳＴ２）の判断で、充電用時間データがある場合は、その充電用時間データを充電確認に充分な表示空き時間（ＯＦＦ期間）に変換（ＳＴ３）してステップＳＴ６に進む。ステップ（ＳＴ２）の判断で充電用時間データがなかった場合は、ステップ（ＳＴ４）で表示データ内に表示空き時間があるか、否かを判断する。ステップ（ＳＴ４）の判断で表示空き時間があった場合は、ステップ（ＳＴ６）に進み、なかった場合はステップ（ＳＴ５）に進む。ステップ（ＳＴ５）では、表示データに強制的に表示空き時間を付加する。
即ち、表示データ中で輝度の低いデータ部分に表示空き時間を付加し、ステップ（ＳＴ６）に進む。ステップ（ＳＴ６）では表示空き期間内の初期の期間α経過後における所定タイミングを充電状態検出タイミングとして充電制御部２１に伝達する。
【００２７】
したがって、充電制御部２１は、電池２０がデバイス８０に電源供給していない、或いはほとんど供給していない状態で電池２０の電圧を検出することができ、正確に充電状態を検出することができる。
【００２８】
なお、上記実施の形態１では、充電時に電池２０がマトリクス配列された複数の発光ダイオード８に電源供給する場合について説明したが、それ以外の表示装置に電源供給する場合や、表示装置以外の電子機器に電源供給する場合にも本発明は適用可能である。要は、電池２０は充電時に制御データに基づいて動作する電子機器に対して電源供給するものであり、デバイスコントローラ２７は制御データに基づいて充電状態の検出タイミングを導出するものであれば良い。
【００２９】
また、上記実施の形態１では、二つ折れ型の携帯電話機に本発明を適用した場合について説明したが、充電可能な二次電池を搭載したその他の電子機器装置であっても適用可能である。
【産業上の利用可能性】
【００３０】
本発明は、携帯電話機等の充電可能な二次電池を搭載した電子機器装置に適用可能である。
【図面の簡単な説明】
【００３１】
【図１】本発明の実施の形態１に係る二つ折れ型携帯電話機の外観を示す斜視図である。
【図２】本発明の実施の形態１に係る二つ折れ型携帯電話機の回路構成を示すブロック構成図である。
【図３】本発明の実施の形態１に係る二つ折れ型携帯電話機が充電されている状態を示す斜視図である。
【図４】本発明の充電時における携帯電話機の動作を説明するためのブロック図である。
【図５】本発明の充電状態を検出するタイミングを導出する方式を示したタイミングチャート図である。
【図６】本発明に係るデバイスコントローラの表示データ調整処理動作を説明するためのフローチャートである。
【符号の説明】
【００３２】
１４  メモリ部    ２０  電池    ２１  充電制御部    ２７  デバイスコントローラ    ３０  電源。
【図１】
2006060500.tif 000003
【図２】
2006060500.tif 000004
【図３】
2006060500.tif 000005
【図４】
2006060500.tif 000006
【図５】
2006060500.tif 000007
【図６】
2006060500.tif 000008